(57)【特許請求の範囲】
【請求項１】
被測定物の測定内容に応じて装置本体のスロット（Ｓ）に着脱可能に装着され、有線系の通信規格に基づく前記被測定物の測定を行うための個々に異なる複数の測定ハードウェア（５ａ）と、設定内容に応じて前記複数の測定ハードウェアを任意に組み合わせて制御する複数の測定アプリケーション（１１）とを備えた測定装置（１）に採用される測定時の競合検出装置であって、
前回の測定時と同じ設定条件で前記被測定物の再測定を行うときに、前記前回の測定時に使用した前記測定ハードウェアに対する設定条件に加え、使用通信方式とレートの情報、前記測定アプリケーション毎の必要ポート数の情報、使用した測定ポートの情報を含む設定ファイル（１２）に紐付けされる測定結果ファイル（１３）を読み出し、この読み出した測定結果ファイルに紐付けされる前記設定ファイルと、前記複数の測定ハードウェアの種類と個々の測定ポートの能力及び空き状態、使用者を特定する情報を含む測定開始直前の資源の使用状態とを突き合わせて前記測定ハードウェアと前記測定アプリケーションの競合の有無を検出する資源管理部（１４）を備えたことを特徴とする測定時の競合検出装置。
【請求項２】
前記資源管理部（１４）は、前記設定ファイル（１２）で使用された測定ハードウェア（５ａ）が前記スロット（Ｓ）に存在して測定ポート（５ｂ）に空きポートがあり、その測定ポートに前記設定ファイルで使用された測定アプリケーション（１１）で要求される能力がないと判断したときに、他の全ての空きポートの中に前記測定アプリケーションで要求される能力を有する測定ポートがあれば、その測定ポートの測定ハードウェアを前記測定アプリケーションにより制御して前記被測定物の再測定を開始することを特徴とする請求項１記載の測定時の競合検出装置。
【請求項３】
前記資源管理部（１４）は、前記他の全ての空きポートの中に前記設定ファイル（１２）で使用された測定アプリケーション（１１）で要求される能力を有する測定ポート（５ｂ）がなく、使用ポートの必要数を満たす測定ポート（５ｂ）を有する別の測定ハードウェア（５ａ）における測定ポートの中に前記測定アプリケーションで要求される能力を有する測定ポートがあると判断したときに、その測定ポートの測定ハードウェアにより前記設定ファイルに代替する再測定が可能な旨を表示部（６）に表示することを特徴とする請求項２記載の測定時の競合検出装置。
【請求項４】
被測定物の測定内容に応じて装置本体のスロット（Ｓ）に着脱可能に装着され、有線系の通信規格に基づく前記被測定物の測定を行うための個々に異なる複数の測定ハードウェア（５ａ）と、設定内容に応じて前記複数の測定ハードウェアを任意に組み合わせて制御する複数の測定アプリケーション（１１）とを備えた測定装置に採用される測定時の競合検出方法であって、
前回の測定時と同じ設定条件で前記被測定物の再測定を行うときに、前記前回の測定時に使用した前記測定ハードウェアに対する設定条件に加え、使用通信方式とレートの情報、前記測定アプリケーション毎の必要ポート数の情報、使用した測定ポートの情報を含む設定ファイル（１２）に紐付けされる測定結果ファイル（１３）を読み出し、この読み出した測定結果ファイルに紐付けされる前記設定ファイルと、前記複数の測定ハードウェアの種類と個々の測定ポートの能力及び空き状態、使用者を特定する情報を含む測定開始直前の資源の使用状態とを突き合わせて前記測定ハードウェアと前記測定アプリケーションの競合の有無を検出するステップを含むことを特徴とする測定時の競合検出方法。
【請求項５】
前記設定ファイル（１２）で使用された測定ハードウェア（５ａ）が前記スロット（Ｓ）に存在して測定ポート（５ｂ）に空きポートがあり、その測定ポートに前記設定ファイルで使用された測定アプリケーション（１１）で要求される能力がないと判断したときに、他の全ての空きポートの中に前記測定アプリケーションで要求される能力を有する測定ポートがあれば、その測定ポートの測定ハードウェアを前記測定アプリケーションにより制御して前記被測定物の再測定を開始するステップをさらに含むことを特徴とする請求項４記載の測定時の競合検出方法。
【請求項６】
前記他の全ての空きポートの中に前記設定ファイル（１２）で使用された測定アプリケーション（１１）で要求される能力を有する測定ポート（５ｂ）がなく、使用ポートの必要数を満たす測定ポート（５ｂ）を有する別の測定ハードウェア（５ａ）における測定ポートの中に前記測定アプリケーションで要求される能力を有する測定ポートがあると判断したときに、その測定ポートの測定ハードウェアにより前記設定ファイルに代替する再測定が可能な旨を表示部（６）に表示するステップをさらに含むことを特徴とする請求項５記載の測定時の競合検出方法。
【発明の詳細な説明】
【技術分野】
【０００１】
本発明は、有線系の各種通信規格に基づく被測定物（ＤＵＴ：Device Under Test ）の複数種類の測定が可能な１台の測定装置に採用され、同じ設定条件で被測定物の測定を繰り返し行う際の測定アプリケーション間や測定ハードウェア間の競合の有無を検出する測定時の競合検出装置及び競合検出方法に関する。
【背景技術】
【０００２】
特定の信号方式として、例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格に基づく被測定物の各種測定を行う機能を有する測定装置では、複数の測定ハードウェアと複数の測定アプリケーションを１台の装置に備えており、個々の測定アプリケーションが一定の手順に沿って所定の測定ハードウェアを制御することにより被測定物の測定を行い、その測定結果をユーザに提供している。
【０００３】
この種の複数の測定ハードウェアと複数の測定アプリケーションを１台の装置に備えた測定装置としては、例えば下記特許文献１に開示されるものが知られている。特許文献１に開示される測定装置は、各種測定内容の複数の測定アプリケーションが記憶された共通ユニットと、バッテリユニットとの間に、測定ハードウェアとしての測定ユニットを挟み込むようにそれぞれコネクタ接続され、測定内容に応じて測定ユニットの増設、取り外し、組み換えが自由に行える構成となっている。
【０００４】
これにより、１つの測定アプリケーションが１つの測定ハードウェアを制御するだけでなく、１つの測定アプリケーションが複数の測定ハードウェアを連動して制御したり、１台の測定装置上で複数の測定アプリケーションを同時に並行起動して実行することが可能であり、様々な形態で被測定物の測定を行うことができる。
【先行技術文献】
【特許文献】
【０００５】
【特許文献１】特開２０１０−２５８６３号公報
【発明の概要】
【発明が解決しようとする課題】
【０００６】
ところで、上述した測定装置のユーザは、被測定物の測定によって得られる測定結果データをファイル化した測定結果ファイルを保存して持ち帰り、例えばＰＣなどの端末装置を別途用いて最終評価結果に至るまでの詳細情報の解析を行っている。このため、測定結果ファイルには、測定結果データ以外に、設定条件や測定アプリケーションと測定ハードウェアとの組合せをどのように設定したかを示す情報も含まれている。
【０００７】
しかし、上述した測定装置を用いた測定では、測定結果ファイルの測定結果データに基づく解析の過程において、同じ設定条件で被測定物の再測定が必要になる場合もあり得る。
【０００８】
この場合、測定装置は、解析対象となる測定結果ファイルを読み出し、読み出した測定結果ファイルの測定結果データを表示させた状態でユーザが測定開始キーを押下すると、測定結果ファイルに含まれる設定条件で使用された測定アプリケーションが起動して再測定を開始することになる。
【０００９】
しかしながら、この種の測定装置の使用形態は、一人のユーザに限定されるものではなく、複数のユーザが共用して個々に所望の測定を行うことが可能であり、測定ハードウェアの増設、取り外し、組み換えも測定内容に応じて自由に行われる。このため、再測定を開始した時点における測定ハードウェアの構成の違い、すなわち、測定結果ファイルを読み出した時点における測定装置の使用状況によっては、測定アプリケーション間や測定ハードウェア間で競合が起こり得るという問題があった。
【００１０】
そして、測定アプリケーション間や測定ハードウェア間で競合があると、測定結果ファイルの設定条件に基づく再測定を行うことができない。このため、個々のユーザは、同一設定条件による被測定物の再測定を行うに際に、前回の測定時における設定条件と測定ハードウェアの現在の使用状態とを再測定を行う前に一つ一つ照らし合わせて確認する必要があった。しかも、測定ハードウェアの現在の使用状態によっては全く同じ設定条件で再測定することが困難な場合もある。その場合には、代替できる設定条件に変更する必要があり、再測定を行うまでに時間と手間を要するという問題があった。
【００１１】
そこで、本発明は上記問題点に鑑みてなされたものであって、被測定物の再測定を開始する前に測定アプリケーション間や測定ハードウェア間の競合の有無を確実に検出することができる測定時の競合検出装置及び競合検出方法を提供することを目的としている。
【課題を解決するための手段】
【００１２】
上記目的を達成するため、本発明の請求項１に記載された測定時の競合検出装置は、被測定物の測定内容に応じて装置本体のスロットＳに着脱可能に装着され、有線系の通信規格に基づく前記被測定物の測定を行うための個々に異なる複数の測定ハードウェア５ａと、設定内容に応じて前記複数の測定ハードウェアを任意に組み合わせて制御する複数の測定アプリケーション１１とを備えた測定装置１に採用される測定時の競合検出装置であって、
前回の測定時と同じ設定条件で前記被測定物の再測定を行うときに、前記前回の測定時に使用した前記測定ハードウェアに対する設定条件に加え、使用通信方式とレートの情報、前記測定アプリケーション毎の必要ポート数の情報、使用した測定ポートの情報を含む設定ファイル１２に紐付けされる測定結果ファイル１３を読み出し、この読み出した測定結果ファイルに紐付けされる設定ファイルと、前記複数の測定ハードウェアの種類と個々の測定ポートの能力及び空き状態、使用者を特定する情報を含む測定開始直前の資源の使用状態とを突き合わせて前記測定ハードウェアと前記測定アプリケーションの競合の有無を検出する資源管理部１４を備えたことを特徴とする。
【００１３】
請求項２に記載された測定時の競合検出装置は、請求項１の測定時の競合検出装置において、
前記資源管理部１４は、前記設定ファイル１２で使用された測定ハードウェア５ａが前記スロットＳに存在して測定ポート５ｂに空きポートがあり、その測定ポートに前記設定ファイルで使用された測定アプリケーション１１で要求される能力がないと判断したときに、他の全ての空きポートの中に前記測定アプリケーションで要求される能力を有する測定ポートがあれば、その測定ポートの測定ハードウェアを前記測定アプリケーションにより制御して前記被測定物の再測定を開始することを特徴とする。
【００１４】
請求項３に記載された測定時の競合検出装置は、請求項２の測定時の競合検出装置において、
前記資源管理部１４は、前記他の全ての空きポートの中に前記設定ファイル１２で使用された測定アプリケーション１１で要求される能力を有する測定ポート５ｂがなく、使用ポートの必要数を満たす測定ポート５ｂを有する別の測定ハードウェア５ａにおける測定ポートの中に前記測定アプリケーションで要求される能力を有する測定ポートがあると判断したときに、その測定ポートの測定ハードウェアにより前記設定ファイルに代替する再測定が可能な旨を表示部６に表示することを特徴とする。
【００１５】
請求項４に記載された測定時の競合検出方法は、被測定物の測定内容に応じて装置本体のスロットＳに着脱可能に装着され、有線系の通信規格に基づく前記被測定物の測定を行うための個々に異なる複数の測定ハードウェア５ａと、設定内容に応じて前記複数の測定ハードウェアを任意に組み合わせて制御する複数の測定アプリケーション１１とを備えた測定装置に採用される測定時の競合検出方法であって、
前回の測定時と同じ設定条件で前記被測定物の繰り返し測定を行うときに、前記前回の測定時に使用した前記測定ハードウェアに対する設定条件に加え、使用通信方式とレートの情報、前記測定アプリケーション毎の必要ポート数の情報、使用した測定ポートの情報を含む設定ファイル１２に紐付けされる測定結果ファイル１３を読み出し、この読み出した測定結果ファイルに紐付けされる前記設定ファイルと、前記複数の測定ハードウェアの種類と個々の測定ポートの能力及び空き状態、使用者を特定する情報を含む測定開始直前の資源の使用状態とを突き合わせて前記測定ハードウェアと前記測定アプリケーションの競合の有無を検出するステップを含むことを特徴とする。
【００１６】
請求項５に記載された測定時の競合検出方法は、請求項４の測定時の競合検出方法において、
前記設定ファイル１２で使用された測定ハードウェア５ａが前記スロットＳに存在して測定ポート５ｂに空きポートがあり、その測定ポートに前記設定ファイルで使用された測定アプリケーション１１で要求される能力がないと判断したときに、他の全ての空きポートの中に前記測定アプリケーションで要求される能力を有する測定ポートがあれば、その測定ポートの測定ハードウェアを前記測定アプリケーションにより制御して前記被測定物の再測定を開始するステップをさらに含むことを特徴とする。
【００１７】
請求項６に記載された測定時の競合検出方法は、請求項５の測定時の競合検出方法において、
前記他の全ての空きポートの中に前記設定ファイル１２で使用された測定アプリケーション１１で要求される能力を有する測定ポート５ｂがなく、使用ポートの必要数を満たす測定ポート５ｂを有する別の測定ハードウェア５ａにおける測定ポートの中に前記測定アプリケーションで要求される能力を有する測定ポートがあると判断したときに、その測定ポートの測定ハードウェア５ａにより前記設定ファイルに代替する再測定が可能な旨を表示部６に表示するステップをさらに含むことを特徴とする。
【発明の効果】
【００１８】
本発明によれば、前回の測定時の設定ファイルに紐付けされる測定結果ファイルを読み出し、測定結果を評価して再測定が必要な場合には再測定の開始が指示され、測定結果ファイルに紐付けされた設定ファイルが読み出され、この設定ファイルと測定開始直前の資源の使用状態とを突き合わせる競合検出処理により、被測定物の再測定を開始する前に測定ハードウェアや測定アプリケーションの競合の有無を確実に検出することができる。
【００１９】
また、本願請求項２，４に係る発明によれば、測定ハードウェアや測定アプリケーションの競合があった場合でも、その解決案として、設定ファイルと同等の設定条件で被測定物の再測定を行うことができる。
【００２０】
さらに、本願請求項３，６に係る発明によれば、測定ハードウェアや測定アプリケーションの競合があった場合でも、被測定物の再測定が可能な代替案を表示部に表示してユーザに提供することができる。
【図面の簡単な説明】
【００２１】
【図１】本発明が適用される測定装置の全体構成を示すブロック図である。
【図２】図１の測定装置を用いて被測定物の再測定を行う時の競合検出処理のフローチャートである。
【図３】（ａ）〜（ｄ）図２の競合検出処理の具体例を示す説明図である。
【発明を実施するための形態】
【００２２】
以下、本発明を実施するための形態について、添付した図面を参照しながら詳細に説明する。
【００２３】
本発明に係る測定時の競合検出装置及び競合検出方法は、特定の信号方式（例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格）に基づく被測定物の複数種類の測定を行う機能を１台の装置に備えた測定装置に適用されるものである。
【００２４】
そして、本発明が適用される１台の測定装置１は、装置本体をなす筐体に対し、図１に示すように、操作部２、入出力部３、記憶部４、測定ハードウェア部５、表示部６、処理制御部７を備えている。
【００２５】
測定装置１は、装置本体をなす筐体に複数のスロットＳ（図１の例では、３つのスロットＳ１，Ｓ２，Ｓ３）が設けられており、測定ハードウェア部５の複数の測定ハードウェア５ａ（測定ハードウェアＡ、測定ハードウェアＢ、測定ハードウェアＣ）が被測定物の測定内容に応じて各スロットＳ１，Ｓ２，Ｓ３に対し、任意に着脱交換可能に装着される。
【００２６】
操作部２は、装置本体をなす筐体に設けられ、例えば各種キー、スイッチ、ボタンなどで構成される。操作部２は、表示モード時の表示部６の設定画面上において、後述する設定ファイル１２の各種設定を行う際に適宜操作される。
【００２７】
入出力部３は、例えば外部端末（ＰＣなど）や外部記憶媒体（ＵＳＢメモリ、外付けハードディスクなど）と接続される外部インターフェースで構成される。入出力部３は、処理制御部７により外部端末や外部記憶媒体との間の情報のやり取りが制御され、後述する設定ファイル１２や測定結果ファイル１３の入力や出力を行っている。
【００２８】
記憶部４は、被測定物の各種測定に必要不可欠な測定アプリケーション１１（図１の例では、２つの測定アプリケーション１１ａ，１１ｂ）、設定ファイル１２、測定結果ファイル１３を記憶している。
【００２９】
測定アプリケーション１１は、処理制御部７が複数の測定ハードウェア５ａを任意に組み合わせて制御する際の被測定物の所定種類の測定（例えば、誤り検出測定、遅延測定、パケット損失測定、スループット測定など）を行うための一連の処理プログラムからなるソフトウェアで構成される。測定アプリケーション１１は、測定装置１で測定可能な測定内容の種類毎に設けられる。図１の例では、測定アプリケーション１１（１１ａ，１１ｂ）として、測定アプリケーションαと測定アプリケーションβを図示しているが、その数が限定されるものではない。
【００３０】
設定ファイル１２は、被測定物に対してどんな測定を行いたいかを示すファイルであり、測定装置１によって被測定物の測定を行う際に、被測定物の測定内容に応じて操作部２の操作により適宜設定される情報からなり、記憶部４に一時的に保存記憶される。尚、設定ファイル１２は、測定の終了・開始とは無関係に、ユーザの操作により任意のタイミングで生成される。但し、ユーザが必要な設定操作を済ませたことを前提とする。
【００３１】
さらに説明すると、設定ファイル１２は、基本設定情報、使用通信方式・レート情報、ポート数情報、使用ポート情報から構成される。
【００３２】
基本設定情報は、測定ハードウェア５ａによる被測定物の測定に必要な測定アプリケーション１１（１１ａ，１１ｂ）毎の基本的な設定情報からなる。基本設定情報の具体例としては、信号生成基準クロックの選択（内部水晶、又は外部信号取り込み）、ＳＤＨ／ＯＴＮにおける信号多重化階梯の選択、試験用Ｅｔｈｅｒｎｅｔ（登録商標）フレームのプロトコルスタック構成（例えば、Ｅｔｈｅｒｎｅｔ（登録商標）の中にＩＰｖ４を載せるかＩＰｖ６を載せるか、ＶＬＡＮタグを付与するか否か、ＭＰＬＳラベルを付与するか否かなど）、試験用Ｅｔｈｅｒｎｅｔ（登録商標）フレームに含まれる各種プロトコルヘッダの内容（例えば、ＩＰアドレスを何にするか、ＶＬＡＮダグやＭＰＬＳラベルのＩＤの値など）、試験用ＯＴＮ／ＳＤＨフレームに含まれる各種オーバーヘッドバイトの内容（例えば、通信事業者コードの付与など）、試験用送信Ｅｔｈｅｒｎｅｔ（登録商標）フレームの転送レートの設定（例えば、フルワイヤレートに対して何％で送信するか、どのような周期で送信を繰り返すかなど）、試験用疑似ランダムビットシーケンス信号の選択（例えば、ＰＲＢＳ７／ＰＲＢＳ９など）、試験合否判定の閾値、測定結果取得のサンプリング周期などがある。
【００３３】
使用通信方式・レート情報は、使用される通信方式（例えば、ＳＤＨ，ＰＤＨ，ＯＴＮ，Ｅｔｈｅｒｎｅｔ（登録商標）などの有線系の通信規格）と、使用される通信方式のレートに関する情報である。
【００３４】
ポート数情報は、使用される測定アプリケーション１１で必要とするポート数に関する情報である。
【００３５】
使用ポート情報は、使用される測定アプリケーション１１により制御される測定ハードウェア５ａの各測定ポート５ｂと紐付けされる論理ポート番号と、使用されるコネクタおよび光トランシーバの種類に関する情報である。
【００３６】
尚、上述した設定ファイル１２は、同じ設定条件で被測定物の再測定を行う場合、測定結果ファイル１３に紐付けされた状態で入出力部３を介して例えば図示しない外部端末や外部記憶媒体から読み出され、記憶部４に一時的に保存記憶される。
【００３７】
測定結果ファイル１３は、設定内容に基づく測定アプリケーション１１により測定ハードウェア５ａを制御して実行される被測定物の測定結果に関するファイルであり、紐付けされる設定ファイル１２の設定内容に基づく所定サンプリング周期の被測定物の測定結果を示す履歴情報（被測定物の測定結果によるグラフや表の情報を含む）である。
【００３８】
測定結果ファイル１３は、測定終了時に作成され、被測定物の測定結果に関する情報を測定時の設定ファイル１２に紐付けて記憶部４に一時的に保存記憶される。
【００３９】
測定ハードウェア部５は、複数の測定ハードウェア５ａ（図１の例では、３つの測定ハードウェア５ａ１，５ａ２，５ａ３）を備えている。
【００４０】
個々の測定ハードウェア５ａ（５ａ１，５ａ２，５ａ３）は、測定対象となる被測定物と有線接続される測定ポート５ｂを備えており、装置本体をなす筐体のスロット１ａに対し、測定内容に応じて個々に組み合わせて任意に着脱交換可能に装着される。
【００４１】
表示部６は、液晶などの表示装置で構成される。表示部６は、処理制御部７の制御により、操作部２の操作により設定ファイル１２の設定内容を適宜設定する際の設定画面の表示、設定ファイル１２の設定内容に基づく測定結果の表示などを行っている。
【００４２】
処理制御部７は、例えばＣＰＵ（Central Processing Unit ）やＲＯＭ（Read Only Memory），ＲＡＭ（Random Access Memory）等のプロセッサで構成され、操作部２、入出力部３、記憶部４、測定ハードウェア部５、表示部６を統括制御し、ユーザが所望する被測定物の測定を行うように、操作部２からの操作信号の設定や設定ファイル１２に基づいて測定ハードウェア部５の測定ハードウェア５ａを制御している。
【００４３】
また、処理制御部７は、図１に示すように、後述する図２のフローチャートに基づく競合検出処理を行う資源管理部１４を備えている。資源管理部１４は、被測定物に対してどんな測定が行えるかを示す情報として、測定装置１の資源（測定ハードウェア５ａ、測定ポート５ｂ、使用者などの情報）の使用状況を管理している。
【００４４】
資源管理部１４は、操作部２の操作により測定開始が指示されると、スロットＳ（Ｓ１，Ｓ２，Ｓ３）毎の測定ポート５ｂの空き状態、測定ポート５ｂ毎の使用者情報（ＩＰアドレス）、設定ファイル１２の測定アプリケーションに対する各測定ポート５ｂの能力（アビリティ）情報、スロットＳ（Ｓ１，Ｓ２，Ｓ３）毎の測定ハードウェア５ａの種類を測定装置１における測定開始直前の資源の使用状況として取得し、この取得した資源の使用状況と設定ファイル１２の設定内容とを突き合わせて後述する競合検出処理を行っている。
【００４５】
尚、図１において、操作部２と処理制御部７との間、ならびに表示部６と処理制御部７との間はＬＡＮで接続される。このＬＡＮ接続は、ＨＵＢ機構により測定装置１の外からも接続可能な構成となっている。また、ＰＣを使ってＬＡＮ経由で接続することにより、測定装置１を遠隔操作することができる。そして、使用者情報としてのＩＰアドレスとは、この外部ＰＣのＩＰアドレスを意味する。
【００４６】
ところで、図１の例では、操作部２と表示部６を機能的に別々の構成として図示して説明したが、タッチパッドなどの位置入力装置（操作部２に相当）と液晶パネルなどの表示装置（表示部６に相当）を一体化した電子部品からなるタッチパネルで構成すれば、操作部２と表示部６を一つにまとめた構成とすることができる。
【００４７】
また、図１の例では、２つの測定アプリケーション１１ａ，１１ｂと３つの測定ハードウェア５ａ１，５ａ２，５ａ３を備えた構成について図示したが、その数が限定されるものではない。
【００４８】
次に、上記のように構成される測定装置１において、被測定物の再測定を行う際に処理制御部７の資源管理部１４が実行する競合検出処理について図２のフローチャートを参照しながら説明する。
【００４９】
（競合検出処理）
まず、ユーザは、被測定物の再測定を行うにあたって、前回測定したときの設定ファイル１２と紐付けされた測定結果ファイル１３が記憶された外部端末や外部記憶媒体を入出力部３に接続する。これにより、処理制御部７は、入出力部３を介して外部端末や外部記憶媒体から設定ファイル１２と紐付けされた測定結果ファイル１３を読み出し（ＳＴ１）、読み出した測定結果ファイル１３と紐付けされた設定ファイル１２に基づく測定アプリケーション１１を起動し、表示モードに移行する。この表示モードでは、処理制御部７が測定アプリケーション１１による測定ハードウェア５ａの制御を行わない。ユーザは、表示モードで表示される測定結果ファイル１３の測定結果を評価し、再測定が必要か否かを判断する。
【００５０】
そして、再測定が必要な場合には、ユーザが操作部２を操作して再測定の開始を指示する。資源管理部１４は、被測定物の再測定を行うため、ユーザの操作部２の操作により再測定の開始が指示されると（ＳＴ２）、現在の資源の使用状況により、スロットＳ（Ｓ１，Ｓ２，Ｓ３）への装着位置に関係なく設定ファイル１２で使用された測定ハードウェア５ａがスロットＳ（Ｓ１，Ｓ２，Ｓ３の何れか）に存在するか否かを判別する（ＳＴ３）。すなわち、資源管理部１４は、設定ファイル１２で使用された測定ハードウェア５ａがスロットＳに物理的に装着されているか否かを判別する。
【００５１】
そして、資源管理部１４は、設定ファイル１２で使用された測定ハードウェア５ａがスロットＳに存在すると判断すると、存在する測定ハードウェア５ａの測定ポート５ｂとして、設定ファイル１２で使用された測定アプリケーション１１で必要な数の空きポートがあるか否かを判別する（ＳＴ４）。
【００５２】
これに対し、資源管理部１４は、設定ファイル１２で使用された測定ハードウェア５ａがスロットＳに存在しないと判断すると、必要な測定ハードウェア５ａがスロットＳに存在しないことが原因で設定ファイル１２の設定条件による測定が不可能である旨を表示部６に警告表示してユーザに知らせる（ＳＴ５）。
【００５３】
次に、資源管理部１４は、存在する測定ハードウェア５ａの測定ポート５ｂに必要数の空きポートがあると判断すると、その空きポートの測定ポート５ｂが設定ファイル１２で使用された測定アプリケーション１１の再測定で要求される能力があるか否かを判別する（ＳＴ６）。
【００５４】
これに対し、資源管理部１４は、存在する測定ハードウェア５ａの測定ポート５ｂに必要数の空きポートがないと判断すると、使用している測定ポート５ｂ毎のユーザのＩＰアドレスを表示部６に表示し、設定ファイル１２による測定で必要な測定ハードウェア５ａの測定ポート５ｂが使用中である旨をユーザに知らせる（ＳＴ７）。
【００５５】
次に、資源管理部１４は、空きポートの測定ポート５ｂが設定ファイル１２で使用された測定アプリケーション１１の再測定で要求される能力があると判断すると、現在の資源の使用状況が設定ファイル１２と同じ設定条件で被測定物の測定が可能であると判断し、その測定アプリケーション１１で対象の測定ハードウェア５ａを制御して被測定物の再測定を開始する（ＳＴ８）。そして、被測定物の測定が終了すると、そのときの設定ファイル１２を測定結果ファイル１３に紐付けして記憶部４に一時的に保存記憶する。この記憶部４に記憶された設定ファイル１２が紐付けされた測定結果ファイル１３は、操作部２の操作に基づく処理制御部７の制御により、入出力部３を介して外部端末や外部記憶媒体に保存記憶することができる。
【００５６】
これに対し、資源管理部１４は、空きポートの測定ポート５ｂが設定ファイル１２で使用された測定アプリケーション１１の再測定で要求される能力がないと判断すると、別の測定ハードウェア５ａにおける必要数の空きポートの測定ポート５ｂが設定ファイル１２で使用された測定アプリケーション１１の再測定で要求される能力があるか否かを判別する（ＳＴ９）。
【００５７】
次に、資源管理部１４は、別の測定ハードウェア５ａにおける必要数の空きポートの測定ポート５ｂが設定ファイル１２で使用された測定アプリケーション１１の再測定で要求される能力があると判断すると、現在の資源の使用状況が設定ファイル１２の設定条件を代替する設定条件で被測定物の測定が可能であると判断し、その測定アプリケーション１１で対象の測定ハードウェア５ａを制御して被測定物の再測定を開始する（ＳＴ８）。そして、被測定物の測定が終了すると、そのときの設定ファイル１２を測定結果ファイル１３に紐付けして記憶部４に一時的に保存記憶する。この記憶部４に記憶された設定ファイル１２が紐付けされた測定結果ファイル１３は、操作部２の操作に基づく処理制御部７の制御により、入出力部３を介して外部端末や外部記憶媒体に保存記憶することができる。
【００５８】
これに対し、資源管理部１４は、別の測定ハードウェア５ａにおける必要数の空きポートの測定ポート５ｂが設定ファイル１２で使用された測定アプリケーション１１の再測定で要求される能力がないと判断すると、必要数の使用ポートの測定ポート５ｂを有する測定ハードウェア５ａにおける測定ポート５ｂが設定ファイル１２で使用された測定アプリケーション１１の再測定で要求される能力があるか否かを判別する（ＳＴ１０）。
【００５９】
次に、資源管理部１４は、必要数の使用ポートの測定ポート５ｂを有する測定ハードウェア５ａにおける測定ポート５ｂが設定ファイル１２で使用された測定アプリケーション１１の再測定で要求される能力があると判断すると、必要数の使用ポートの測定ポート５ｂを有する使用中の測定ハードウェア５ａによる被測定物の測定が可能な旨を表示部６に表示し、代替案がある旨をユーザに知らせる（ＳＴ１１）。
【００６０】
これに対し、資源管理部１４は、必要数の使用ポートの測定ポート５ｂを有する測定ハードウェア５ａにおける測定ポート５ｂが設定ファイル１２で使用された測定アプリケーション１１の再測定で要求される能力がないと判断すると、測定ハードウェア５ａの測定ポート５ｂが設定ファイル１２で使用された測定アプリケーション１１の再測定で要求される能力がないことが原因で設定ファイル１２や代替案による測定が不可能である旨を表示部６に警告表示してユーザに知らせる（ＳＴ５）。
【００６１】
次に、上述した競合検出処理の具体例について図３（ａ）〜（ｄ）を参照しながら説明する。尚、前回の測定では、図３（ａ）に示すように、スロットＳ２に装着された測定ハードウェアＢの測定ポート５ｂ（ポート番号１）にＳＦＰの光トランシーバを介して被測定物を接続し、測定アプリケーションαにより１ＧｂｐｓのＥｔｈｅｒｎｅｔ（登録商標）のパケット損失測定を行ったものとする。
【００６２】
また、前回の設定ファイル１２は、使用通信方式・レート情報が１ＧｂｐｓのＥｔｈｅｒｎｅｔ（登録商標）、ポート数情報がポート数２、使用ポート情報の論理ポート番号（各測定ハードウェア５ａの測定ポート５ｂと仮想的に紐付けされる番号）が１、使用光トランシーバがＳＦＰの光トランシーバに設定されているものとする。
【００６３】
さらに、図３において、測定ハードウェアＡ，Ｃ，Ｄの各測定ポート５ｂ（ポート番号１，２）は、測定ハードウェアＢの測定ポート５ｂ（ポート番号１）に測定アプリケーションαの再測定で要求される能力と同等以上の能力があるものとする。
【００６４】
以上の条件の元に、資源の使用状態が図３（ａ）に示す前回の測定時から図３（ｂ），（ｃ），（ｄ）の何れかに示す状態に変化したときに、前回の測定と同じ設定条件で被測定物の再測定を行う場合を例にとってそれぞれ説明する。
【００６５】
図３（ｂ），（ｃ），（ｄ）の何れかに示す資源の使用状態で前回の測定と同じ設定条件（設定ファイル１２）で再測定を行う場合には、前回の測定時の測定結果ファイル１３に紐付けされた設定ファイル１２と測定開始直前の資源の使用状態（図３（ｂ），（ｃ），（ｄ）の何れかに示す資源の使用状態）との突き合わせを行い、上述した図２の競合検出処理を実行する。
【００６６】
まず、図３（ｂ）に示す資源の使用状態では、スロットＳ１に測定ハードウェアＢが装着され、ポート番号１の測定ポート５ｂが空きポート、ポート番号２の測定ポート５ｂが使用ポートとなっている。また、スロットＳ２に測定ハードウェアＡが装着され、ポート番号１，２の全ての測定ポート５ｂが使用ポートとなっている。さらに、スロットＳ３に測定ハードウェアＣが装着され、ポート番号１，２の測定ポート５ｂが使用ポート、ポート番号３，４の測定ポート５ｂが空きポートとなっている。
【００６７】
図３（ｂ）に示す資源の使用状態では、上述した図２の競合検出処理の実行により、スロットＳの位置が前回の測定と異なるが、設定ファイル１２で使用された測定ハードウェアＢがスロットＳ１に装着され、前回の測定で使用したポート番号１の測定ポート５ｂが空きポートであり、この測定ハードウェアＢのポート番号１の測定ポート５ｂは設定ファイル１２の測定アプリケーションαの再測定で要求される能力があると判断し、設定ファイル１２と同じ設定条件で被測定物の再測定を開始する。
【００６８】
次に、図３（ｃ）に示す資源の使用状態では、スロットＳ１に測定ハードウェアＢが装着され、ポート番号１の測定ポート５ｂが使用ポート、ポート番号２の測定ポート５ｂが空きポートとなっている。また、スロットＳ２に測定ハードウェアＤが装着され、ポート番号１，２の全ての測定ポート５ｂが空きポートとなっている。さらに、スロットＳ３に測定ハードウェアＡが装着され、ポート番号１，２の全ての測定ポート５ｂが使用ポートなっている。
【００６９】
この図３（ｃ）に示す資源の使用状態では、上述した図２の競合検出処理により、スロットＳの位置が前回の測定と異なり、設定ファイル１２で使用された測定ハードウェアＢがスロットＳ１に装着されているが、前回の測定で使用したポート番号１の測定ポート５ｂが使用ポートであり、このポート番号１の測定ポート５ｂを使用することができないと判断する。そして、スロットＳ２に装着されている測定ハードウェアＤのポート番号１の全ての測定ポート５ｂが空きポートとなっており、測定ハードウェアＤのポート番号１の測定ポート５ｂは設定ファイル１２の測定アプリケーションαの再測定で要求される能力があると判断し、代替案として、測定ハードウェアＤの何れかのポート番号１の測定ポート５ｂを使用し、設定ファイル１２の設定条件と同様に被測定物の再測定が可能である旨を表示部６に表示してユーザに知らせる。
【００７０】
図３（ｄ）に示す資源の使用状態では、スロットＳ１に測定ハードウェアＡが装着され、ポート番号１，２の全ての測定ポート５ｂが使用ポートとなっている。また、スロットＳ２に測定ハードウェアＣが装着され、ポート番号１，２の全ての測定ポート５ｂが使用ポートとなっている。さらに、スロットＳ３に測定ハードウェアＢが装着され、ポート番号１，２の全ての測定ポート５ｂが使用ポートとなっている。
【００７１】
この図３（ｄ）に示す資源の使用状態では、上述した図２の競合検出処理により、スロットＳの位置が前回の測定と異なり、設定ファイル１２で使用された測定ハードウェアＢがスロットＳ３に装着されているが、前回の測定で使用したポート番号１の測定ポート５ｂが使用ポートであり、このポート番号１の測定ポート５ｂを使用することができないと判断する。そして、各スロットＳ１，Ｓ２，Ｓ３に装着された測定ハードウェアＡ，Ｂ，Ｃの全てのポート番号１の測定ポート５ｂが使用ポートとなっているため代替案がないと判断する。このため、使用中のポート番号１の測定ポート５ｂを検索し、スロットＳ１に装着された測定ハードウェアＡのポート番号１の測定ポート５ｂ、スロットＳ２に装着された測定ハードウェアＣのポート番号１の測定ポート５ｂ、スロットＳ３に装着された測定ハードウェアＢのポート番号１の測定ポート５ｂの何れかを使用ポートから空きポートに変更すれば設定ファイル１２と同じか同等の設定条件で被測定物の再測定が可能である旨を表示部６に表示してユーザに知らせる。
【００７２】
尚、図３（ｃ）に示す資源の使用状態の説明では、機種の違いよりもスロット位置（Ｓ２）の違いを優先し、機種は違うが同じ能力なので、前回の測定と同じ場所の測定ハードウェアとして、代替案をユーザに提供しているが、これに限定されるものではない。例えば、スロット位置を優先するか機種を優先するかをユーザが操作部２で選択できるようにし、図３（ｃ）に示す資源の使用状態の説明において、スロット位置の違いよりも機種の違いを優先して代替案をユーザに提供することもできる。
【００７３】
このように、本発明の測定時の競合検出装置及び競合検出方法によれば、有線系の各種通信規格に基づく被測定物の複数種類の測定が可能な１台の測定装置に採用され、同じ設定条件で被測定物の再測定を行うにあたって、再測定の開始を指示したときに、前回の測定時の設定ファイル１２に紐付けられる測定結果ファイル１３を読み出し、この読み出した測定結果ファイル１３に紐付けされる設定ファイル１２と、測定開始直前の資源の使用状態とを突き合わせる競合検出処理により、測定ハードウェア５ａ（５ａ１，５ａ２，５ａ３）や測定アプリケーション１１（１１ａ，１１ｂ）の競合の有無を被測定物の再測定を開始する前に確実に検出することができる。そして、競合検出処理の結果が表示部６に表示されるので、再測定を開始する直前に前回の測定時の設定ファイル１２によって被測定物の再測定が可能か否かをユーザに知らせることができる。
【００７４】
また、資源管理部１４は、設定ファイル１２で使用された測定ハードウェア５ａがスロットＳに存在して測定ポート５ｂに空きポートがあり、その測定ポート５ｂに設定ファイル１２で使用された測定アプリケーション１１の再測定で要求される能力がないと判断したときに、他の全ての空きポートの中に設定ファイル１２で使用された測定アプリケーション１１の再測定で要求される能力を有する測定ポート５ｂがあれば、その測定ポート５ｂの測定ハードウェア５ａを測定アプリケーション１１により制御して被測定物の再測定を開始する。これにより、測定ハードウェア５ａや測定アプリケーション１１の競合があった場合でも、その解決案として、設定ファイル１２と同等の設定条件で被測定物の再測定を行うことができる。
【００７５】
さらに、資源管理部１４は、他の全ての空きポートの中に設定ファイル１２で使用された測定アプリケーション１１の再測定で要求される能力を有する測定ポート５ｂがなく、使用ポートの必要数を満たす測定ポート５ｂを有する別の測定ハードウェア５ａにおける測定ポートの中に設定ファイル１２で使用された測定アプリケーション１１の再測定で要求される能力を有する測定ポート５ｂがあると判断したときに、その測定ポート５ｂの測定ハードウェア１１により設定ファイル１２に代替する再測定が可能な旨を表示部６に表示する。これにより、測定ハードウェア５ａや測定アプリケーション１１の競合があった場合でも、被測定物の再測定が可能な代替案を表示部６に表示してユーザに提供することができる。
【００７６】
また、資源管理部１４は、前回の測定時の設定ファイル１２と、測定開始直前の資源の使用状態とを突き合わせる競合検出処理により、上述した解決案や代替案がなく、被測定物の再測定が不可能なときに、その原因を表示部６に表示してユーザに知らせることができる。
【００７７】
以上、本発明に係る測定時の競合検出装置及び競合検出方法が適用される測定装置の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００７８】
１  測定装置
２  操作部
３  入出力部
４  記憶部
５  測定ハードウェア部
５ａ（５ａ１，５ａ２，５ａ３）  測定ハードウェア（Ａ，Ｂ，Ｃ）
５ｂ  測定ポート
６  表示部
７  処理制御部
１１（１１ａ，１１ｂ）  測定アプリケーション（α，β）
１２  設定ファイル
１３  測定結果ファイル
１４  資源管理部
Ｓ（Ｓ１，Ｓ２，Ｓ２）  スロット
【図１】
0005933615.tif 000002
【図２】
0005933615.tif 000003
【図３】
0005933615.tif 000004